(57)【特許請求の範囲】
【請求項１】
樹脂材料より成り撮影用開口が形成されたシャッタ地板と、複数の羽根部材からなる２組の羽根群と、前記２組の羽根群をそれぞれ揺動可能に支持して前記撮影用開口の側方に支持された複数の羽根作動部材と、所定の開口が形成され前記２組の羽根群の間に配された中間板と、所定の開口が形成され前記シャッタ地板との間に前記２組の羽根群を介在させて配されたカバー板とを備えるカメラ用フォーカルプレンシャッタにおいて、
前記シャッタ地板は、前記羽根群が配されている側であって、前記羽根群の前記羽根作動部材に支持される側とは反対側の先端が重畳・走査・散開を行う領域に、前記羽根作動部材の作動領域面よりも高位となる面を有した高位部を一体に形成しているとともに、前記高位部の前記撮影用開口側の稜線部をその断面が曲面形状となるようにし且つ前記高位部の形成されている側の撮影用開口周縁に所定の傾斜を有する傾斜部を形成していて前記高位部と前記傾斜部との間に段差を設けていることを特徴とするカメラ用フォーカルプレンシャッタ。
【請求項２】
前記高位面が、シャッタ地板と中間板との間に配される羽根群の重畳する側より散開する側の方が高位となるように形成されていることを特徴とする請求項１に記載のカメラ用フォーカルプレンシャッタ。
【発明の詳細な説明】
【０００１】
【産業上の利用分野】
本発明は、樹脂材料より成り撮影用開口が形成されたシヤツタ地板を備えたカメラ用フオーカルプレンシヤツタに関し、より詳細には、カメラ用フオーカルプレンシヤツタの前記シヤツタ地板の構造に関する。
【０００２】
【従来の技術】
従来より、カメラ用フオーカルプレンシヤツタにおいて、羽根群の羽根作動部材に支持される側とは反対側の先端側の暴れなどの走行不良等を防止するため、該先端側の部位に羽根押え板を設けることは、本願と同一出願人は実開昭５９−４５２５号公報等において提案している。また、実開昭６１−１５３０３４号公報等においても提案されている。しかしながら、このような羽根押え板を用いた構成のカメラ用フオーカルプレンシヤツタは、羽根押え板が樹脂材料あるいは金属材料より成る薄板状のものであるため、羽根群の走行時等に羽根部材が該羽根押え板を押圧すると、該押え板は容易に変形（但し該押圧が解除されれば初期形状に戻るような変形）しやすく、押え板のこのような変形が羽根群の走行不整等を招くという問題を有していた。
【０００３】
これを解消するため、シヤツタ地板を樹脂材料にて形成し、上述の羽根押え板にほぼ相当するような肉厚の部位をシヤツタ地板と一体に形成するようにした構成は、例えば、本願と同一出願人は実開昭６３−１６０５３８号公報等において提案している。このような構成により、シヤツタ地板と一体に形成された肉厚の部位の面（高位面）は固定された常に一定なものであるから、羽根群の先端側の重畳・走査・散開の各状態・作動を妨げることがないので走行を安定したものとすることができるとともに、樹脂材料にて一体に形成されるので部品点数が削減されるという利点を有している。
【０００４】
しかしながら、羽根群の一部の羽根部材は、走行時において該羽根部材の中央付近が撮影用開口側へ沈むように撓むという現象を発生するので、上述のようなシヤツタ地板と一体に形成された肉厚の部位を備えたカメラ用フオーカルプレンシヤツタにおいて、羽根部材がこのように撓んだ場合に、羽根部材は肉厚の部位の撮影用開口側の稜線部に圧接的に接触し、しかもその接触が線接触であるため、肉厚の部位の稜線部によって羽根部材面に損傷が発生したり羽根部材が破損したりする等の、不都合が生じていた。このような問題を避けるため、肉厚の部位の一部の面を撮影用開口側へ向かって下降するように傾斜させて形成するようにしても、やや緩和効果はあるものの線接触であることに変わりはなく、むしろ肉厚の部位の面積確保の点で不利となって肉厚の部位の本来の目的が達成されない、また、この傾斜の形成により羽根部材の撓む度合いが増すという不都合を生じるものであった。
【０００５】
上述の点について、図を用いて説明する。図１０は、従来のカメラ用フォーカルプレンシャッタを示す断面図で、走行作動中の羽根の状態を模式的に示してある。図１０において、１０１はシャッタ地板、１０１ａは撮影用開口、１０２は先羽根群、１０３は先羽根補助アーム（先羽根駆動アームは図示せず）、１０４は先羽根かしめダボ、１０５は先羽根駆動アーム軸（後羽根駆動アーム軸等は図示せず）、１０６は後羽根群、１０７は後羽根駆動アーム（後羽根補助アームは図示せず）、１０８は後羽根かしめダボ、１０９はカバー板、１１０は中間板、１１１は後羽根押え板である。シャッタ地板１０１は、シャッタ地板１０１の基準面となるシャッタ地板面１０１ｂ、該シャッタ地板面１０１ｂより高位となるように所定の肉厚に形成された高位部１０１ｃとを有している。先羽根群１０２の先羽根補助アーム１０３に支持される側とは反対側の先端側は、シャッタ地板１０１に一体に形成された高位部１０１ｃ上の固定された面により走行案内されて、先羽根群１０２は安定した走行が行われる。しかしながら、先羽根群１０２の最もシャッタ地板１０１に近い側の羽根部材１０２ａは、図１０に示されるように、走行時にその中央付近が撮影用開口１０１ａ側へ沈むように撓むという現象を発生させるので、羽根部材１０２ａは、走行時に、稜線部１０１ｄに圧接的に接触することとなり、この稜線部１０１ｄの断面形状が直角形状であるため、この稜線部１０１ｄが刃部のように作用して、羽根部材１０２ａ面に損傷が発生したり羽根部材１０２ａが破損したりする等の、不都合が生じていた。
【０００６】
このような不都合を緩和するためのものとして、図１１に示したものがある。図１１は、従来のカメラ用フオーカルプレンシヤツタを示す断面図で、走行作動中の羽根の状態を模式的に示してある。図１１において、２０１はシヤツタ地板、２０１ａは撮影用開口、２０２は先羽根群、２０３は先羽根補助アーム（先羽根駆動アームは図示せず）、２０４は先羽根かしめダボ、２０５は先羽根駆動アーム軸（後羽根駆動アーム軸等は図示せず）、２０６は後羽根群、２０７は後羽根駆動アーム（後羽根補助アームは図示せず）、２０８は後羽根かしめダボ、２０９はカバー板、２１０は中間板、２１１は後羽根押え板である。シヤツタ地板２０１は、シヤツタ地板２０１の基準面となるシヤツタ地板面２０１ｂ、該シヤツタ地板面２０１ｂより高位となるように所定の肉厚に形成された高位部２０１ｃを有している。図１１に示すように、斜面２０１ｄを形成するようにすると、稜線部２０１ｅの断面形状は広角形状となり、刃部のように作用する度合いがやや緩和されて羽根部材２０２ａ面への損傷や破損の緩和にやや効果を奏するものの、完全に解消することは難しく、また、撮影用開口２０１ａの大きさは変更できないため、スペース上の点から高位部２０１ｃ上の面の面積減少となり、先羽根群２０２の走行案内効果が低減して、先羽根群２０２の安定した走行が損なわれる結果となって、所期の目的が達成されなくなるという矛盾を有するものであった。また、形成された斜面２０１ｄは傾斜に伴い羽根部材２０２ａ面より遠ざかるため、羽根部材２０２ａの撓む度合いが増すこととなって、羽根群全体の走行の不安定さの増大、羽根部材２０２ａの損傷・破損の生じる度合いの増大、羽根部材２０２ａの走行終了時の開口縁への衝突事故の誘発等を招く結果となって不都合なものであった。
【０００７】
また、ポリカーボネートにガラス繊維を混入させたような繊維強化樹脂を樹脂材料として用いた場合には、その主成分の樹脂密度は粗く、また、微視的レベルにおいて多くのガラス繊維が表面に突出した形状となっていて、成形された製品の稜線部や角部はのこぎり歯のようにギザギザ形状となり、このような表面により、羽根部材の表面への損傷の度合いは、より大きなものとなる。
【０００８】
また、樹脂材料によりシヤツタ地板を形成する場合には、上述のような問題の他に、樹脂材料の流れにばらつきが生じやすく、ひけあるいはバリ等が生じるという問題を有していた。ひけが生じると、肉厚の部位の稜線部側に一部欠けを生じた形状が発生しやすく、肉厚部の羽根部材を受ける面に面積のばらつきが発生し、摺動摩擦の度合いの増減や不安定となる原因となるため、これにより、走行のばらつきや不良となった。また、バリが発生すると、該バリが羽根部材に直接に損傷を与える等の不都合を生じた。
【０００９】
【発明が解決しようとする課題】
本発明は、このような点に鑑みてなされたものであり、その目的とするところは、羽根部材の中央付近がシヤツタ地板の撮影用開口側へ沈むように撓む等の撓み現象を抑制して羽根部材の走行不整を防止し、且つ羽根群の走行作動を拘束することなく安定させ、しかも羽根部材への損傷を発生することのないものとするとともに、種々の樹脂材料にてシヤツタ地板を形成することを可能としたカメラ用フオーカルプレンシヤツタを提供することにある。
【００１０】
【課題を解決するための手段】
上記の目的を達成するため、本発明は、樹脂材料より成り撮影用開口が形成されたシャッタ地板と、複数の羽根部材からなる２組の羽根群と、前記２組の羽根群をそれぞれ揺動可能に支持して前記撮影用開口の側方に支持された複数の羽根作動部材と、所定の開口が形成され前記２組の羽根群の間に配された中間板と、所定の開口が形成され前記シャッタ地板との間に前記２組の羽根群を介在させて配されたカバー板とを備えるカメラ用フォーカルプレンシャッタにおいて、前記シャッタ地板は、前記羽根群が配されている側であって、前記羽根群の前記羽根作動部材に支持される側とは反対側の先端が重畳・走査・散開を行う領域に、前記羽根作動部材の作動領域面よりも高位となる面を有した高位部を一体に形成しているとともに、前記高位部の前記撮影用開口側の稜線部をその断面が曲面形状となるようにし且つ前記高位部の形成されている側の撮影用開口周縁に所定の傾斜を有する傾斜部を形成していて前記高位部と前記傾斜部との間に段差を設けているようにする。
【００１１】
また、上記のカメラ用フォーカルプレンシャッタにおいては、前記高位面が、シャッタ地板と中間板との間に配される羽根群の重畳する側より散開する側の方が高位となるように形成されているようにしてもよい。
【００１２】
【作用】
本発明の主たる作用は、シヤツタ地板の羽根群が配される側の面に、上記高位部と上記軸部とがシヤツタ地板と一体に形成されるとともに上記高位部の撮影用開口側の稜線部がその断面形状が曲線形状となり、複数の羽根部材からなる羽根群の走行作動時等における羽根群と高位部の稜線部との接触において、該接触をより面接触とさせて、羽根部材の損傷や破損を招くような事態を防止するとともに、羽根部材の撓み現象を抑制する。
【００１３】
本発明は、種々の構成のカメラ用フォーカルプレンシャッタに適用することが可能なものであるが、その好適なる例として、シャッタ地板が樹脂材料より成るとともに羽根作動部材を支持する所定の軸が樹脂材料にてシャッタ地板と一体に形成された構成のカメラ用フォーカルプレンシャッタに適用された場合について説明をする。
【００１４】
まず、第一実施例について、図を用いて説明する。図１は、本発明のカメラ用フオーカルプレンシヤツタの第一実施例を示し、その構成を示す分解斜視図である。図１において、１はシヤツタ地板で、樹脂材料より成る。１ａはシヤツタ地板面で、従来周知の金属材料よりなるシヤツタ地板におけるシヤツタ地板面とほぼ同等であり、基準面として扱われるように、シヤツタ地板面の高さ、すなわち、シヤツタ地板の基準となる板厚が決められる。１ｂ，１ｃは第１高位部で、後述する先羽根群を先羽根駆動アーム及び先羽根補助アームにかしめるための先羽根かしめダボ等を考慮して、シヤツタ地板面１ａより高位となるように所定の肉厚に形成されており、必要に応じ、第１高位部１ｃを第１高位部１ｂより肉厚にて形成されるようにしてもよい。１ｄは第２高位部で、シヤツタ地板面１ａより高位となるとともに、第１高位部１ｂよりさらに高位となるように所定の肉厚に形成されている。第２高位部１ｄについては、後段にて詳述する。１ｅは稜線部で、図面の便宜上から実線で示しているが、その断面形状が曲線を描くよう形成されている。
【００１５】
２，３は先羽根駆動レバー軸，後羽根駆動レバー軸で、シヤツタ地板１に一体に形成されており、図示しない先羽根駆動レバー，後羽根駆動レバーを、回転中心として回転可能に支持する。４，５は先羽根駆動アーム軸，後羽根駆動アーム軸で、先羽根駆動レバー軸２，後羽根駆動レバー軸３と同軸にシヤツタ地板１に一体に形成されていて、後述する先羽根群，後羽根群を揺動可能に支持する先羽根駆動アーム，後羽根駆動アームを、回転中心として回転可能に支持する。６はチヤージレバー軸で、シヤツタ地板１に一体に形成されており、図示しない先羽根駆動レバー及び後羽根駆動レバーをチヤージするための図示しないチヤージレバーを、回転中心として回転可能に支持する。７，８は先羽根補助アーム軸，後羽根補助アーム軸で、後述する先羽根群，後羽根群を揺動可能に支持する先羽根補助アーム，後羽根補助アームを、回転中心として回転可能に支持する。
【００１６】
９は止め軸で、シヤツタ地板１に一体に形成されていて、後述するカバー板が載置される。１０ａ，１０ｂは取付軸で、いずれもシヤツタ地板１に一体に形成されていて、後述する中間板、後羽根押え板、カバー板に、この順に挿入される。１１はシヤツタ地板１に形成された撮影用開口で、一部に図示しないミラーを支持するヒンジのための逃げ部１１ａ，１１ｂが設けられている。１２，１３は傾斜部で、シヤツタ地板１に形成された撮影用開口１１の所定の周縁に所定の傾斜を有する傾斜面として形成されている。１４，１５はシヤツタ地板１に形成された先揺動溝，後揺動溝で、図示しない先羽根駆動レバー，後羽根駆動レバーの揺動を許容するように形成されていて、必要に応じ、ブレーキ部材や緩衝部材等が配される。
【００１７】
１６は先羽根群で、先スリット形成羽根１６ａと複数枚の分割遮光羽根１６ｂ（この実施例では４枚）とから構成されている。１７は先羽根駆動アームで、先羽根かしめダボ１８により先羽根群１６を揺動可能に支持するとともに、孔１７ａにより先羽根駆動アーム軸４にこの軸を回転中心として回転可能に支持され、図示しない先羽根駆動レバーに設けられた係合部が先揺動溝１４より延出して孔１７ｂと係合し、該先羽根駆動レバーにより回転駆動されるようになっている。１９は先羽根補助アームで、先羽根かしめダボ１８により先羽根群１６を揺動可能に支持するとともに、孔１９ａにより先羽根補助アーム軸７にこの軸を回転中心として回転可能に支持される。なお、この実施例においては、先羽根群１６は、シヤツタ地板１の第１高位部１ｂ側で重畳し、第１高位部１ｃ側に向かって散開するようになっている。
【００１８】
２０は後羽根群で、後スリット形成羽根２０ａと複数枚の分割遮光羽根２０ｂ（この実施例では３枚）とから構成されている。２１は後羽根駆動アームで、後羽根かしめダボ２２により後羽根群２０を揺動可能に支持するとともに、孔２１ａにより後羽根駆動アーム軸５にこの軸を回転中心として回転可能に支持され、図示しない後羽根駆動レバーに設けられた係合部が後揺動溝１５より延出して孔２１ｂと係合し、該後羽根駆動レバーにより回転駆動されるようになっている。２３は後羽根補助アームで、後羽根かしめダボ２２により後羽根群２０を揺動可能に支持するとともに、孔２３ａにより後羽根補助アーム軸８にこの軸を回転中心として回転可能に支持される。なお、この実施例においては、後羽根群２０は、シヤツタ地板１の第１高位部１ｃ側で重畳し、第１高位部１ｂ側に向かって散開するようになっている。
【００１９】
２４は中間板で、シヤツタ地板１の取付軸１０ａ，１０ｂに対応する位置に孔２４ａ（図示せず、後羽根群２０により隠れて見えない），２４ｂが形成されていて、この孔２４ａ，２４ｂに取付軸１０ａ，１０ｂが挿入され、先羽根群１６と後羽根群２０との間に配される。これにより、先羽根群１６と後羽根群２０との互いの干渉が起こらないようになっている。２４ｃは開口で、シヤツタ地板１に形成された撮影用開口１１を遮光することのないように形成されている。なお、先羽根群１６の重畳状態での空間を形成するために、高さ調整用のカランを取付軸１０ａに挿入した後、中間板２４が配されるが、このカランに相当する部分を取付軸１０ａと一体になるようにシヤツタ地板１と一体に形成するようにしてもよい。
【００２０】
２５はカバー板で、シヤツタ地板１に形成された撮影用開口１１を遮光することのないように開口２５ａが形成されている。また、シヤツタ地板１の取付軸１０ａ，１０ｂに対応する位置に孔２５ｂ，２５ｃが形成されていて、この孔２５ｂ，２５ｃに取付軸１０ａ，１０ｂが挿入される。また、シヤツタ地板１の止め軸９に対応する位置に孔２５ｄが形成されていて、孔２５ｄ部分がシヤツタ地板１の止め軸９に載置され、図示しないネジ等の締結部材により固定される。
【００２１】
２６は後羽根押え板で、後羽根群２０とカバー板２５との間の、主として後羽根群２０の先端側（後羽根駆動アーム２１，後羽根補助アーム２３に支持される側とは反対側）に配されて、後羽根群２０の走行不整等を防止する。孔２６ａ（図示せず、カバー２５により隠れて見えない），２６ｂにより、シヤツタ地板１の取付軸１０ａ，１０ｂが挿入されるようになっている。
【００２２】
図２は、本発明のカメラ用フオーカルプレンシヤツタの第一実施例を示し、図１に示す各部材を組み立ち後のＡ−Ａ線に沿う方向における断面図で、走行作動中の羽根の状態を模式的に示すとともに一部を省略してある。第２高位部１ｄと傾斜部１３との境界に位置する稜線部１ｅは、曲面形状すなわち断面形状が曲線形状となるように形成されている。第２高位部１ｄの上面の面積は従来と同様に確保されるようにして、第２高位部１ｄの撮影用開口１１側の端部がその断面形状が曲線形状である稜線部１ｅとして形成され、それに対応して傾斜部１３の傾斜の度合いが決められる。稜線部１ｅの断面形状について、所定の曲率を有するよう円弧状であっても、また他の曲線形状としてもよく、羽根部材の走行作動中の撓み現象等の状態を考慮して決められる。従って、先スリット形成羽根１６ａと稜線部１ｅとの接触はより面接触となって、先羽根群１６特に先スリット形成羽根１６ａへの損傷を与えない。また、稜線部１ｅの形成により先羽根群１６のための第２高位部１ｄの所定の面積が確保されるとともに、該面接触により実質的に接触面積の増大となる。さらに、稜線部１ｅの形成により、先スリット形成羽根１６ａの撓み現象が抑制される。
【００２３】
次に、第二実施例について説明する。図３は、本発明のカメラ用フオーカルプレンシヤツタの第二実施例を示す斜視図で、シヤツタ地板のみを示している。他の構成は第一実施例（図１）と共通する。図３において、第２高位部１ｆは、先羽根群１６が重畳する側から散開する側へ向かって、高位部面が所定に上昇するように傾斜面形状に形成されている。従って、先羽根群１６が散開した状態において、各羽根部材の重なりの部分での羽根部材同士の間隙が最小のものとなって、遮光性を高める。傾斜面形状は、単に漸増する形状に限るものではなく、種々の形状が選択可能であり、上昇率に変化を付与したものであっても構わない。そして、第２高位部１ｆと傾斜部２７との境界に位置する稜線部１ｇは、その断面形状は、所定の曲率を有するよう円弧状であっても、また他の曲線形状としてもよく、羽根部材の走行作動中の撓み現象等の状態を考慮して決められる。第２高位部１ｆの上面の面積は従来と同様に確保されるようにして、第２高位部１ｆの撮影用開口１１側の端部が上記のような稜線部１ｇとして形成され、それに対応して傾斜部２７の傾斜の度合いが決められる。従って、先スリット形成羽根１６ａと稜線部１ｇとの接触はより面接触となって、先羽根群１６特に先スリット形成羽根１６ａへの損傷を与えない。また、稜線部１ｇの形成により先羽根群１６のための第２高位部１ｆの所定の面積が確保されるとともに、該面接触により実質的に接触面積の増大となる。さらに、稜線部１ｇの形成により、先スリット形成羽根１６ａの撓み現象が抑制される。
【００２４】
次に、第三実施例について説明する。図４は、本発明のカメラ用フオーカルプレンシヤツタの第三実施例を示す斜視図で、シヤツタ地板のみを示している。他の構成は第一実施例（図１）と共通する。図４において、２８は傾斜部で、他の傾斜部１２と同様の傾斜にて形成されている。従って、第２高位部１ｈとの間で、段差部２９を有するように形成されていて、第２高位部１ｈと段差部２９との境界に位置する稜線部１ｉは、その断面形状は、所定の曲率を有するよう円弧状であっても、また他の曲線形状としてもよく、羽根部材の走行作動中の撓み現象等の状態を考慮して決められる。これを図５により詳述する。図５は、本発明のカメラ用フオーカルプレンシヤツタの第三実施例を示し、図４のシヤツタ地板を用いて該シヤツタ地板と図１に示すシヤツタ地板以外の各部材を組み立ち後の図４に示すＢ−Ｂ線に沿う方向における断面図で、走行作動中の羽根の状態を模式的に示すとともに一部を省略してある。傾斜部２８は、露光時に光が撮影用開口１１を通過する際に発生する光の反射の影響を考慮すると、緩やかな傾斜とする（シヤツタ地板１面に対してより平行となる側の）方が効果的であるが、図２に示すような第一実施例では、傾斜部１３の傾斜の度合いは稜線部１ｅの曲面の形状に拘束されることとなり、その選択の幅が小さい。一方、図５に示すように、段差部２９を設けることにより、稜線部１ｉの曲面の形状と、傾斜部２８の傾斜の度合いとは、それぞれ独立に選択設定することができるので、稜線部１ｉとして最適な形状を決定することができるとともに、稜線部１ｉの曲面の形状に拘束されることなく、傾斜部２８を、露光時に光が撮影用開口１１を通過する際に発生する光の影響を考慮して、所定に緩やかな傾斜とすることができる。
【００２５】
次に、第四実施例について説明する。図６は、本発明のカメラ用フオーカルプレンシヤツタの第四実施例を示す斜視図で、シヤツタ地板のみを示している。他の構成は第一実施例（図１）と共通する。図６において、３０は傾斜部で、他の傾斜部１２と同様の傾斜にて形成されている。従って、第２高位部１ｊとの間で、段差部３１を有するように形成されていて、第２高位部１ｊと段差部３１との境界に位置する稜線部１ｋは、その断面形状は、所定の曲率を有するよう円弧状であっても、また他の曲線形状としてもよく、羽根部材の走行作動中の撓み現象等の状態を考慮して決められる。そして、この第四実施例では、稜線部１ｋの一部が、その平面形状が曲線形状の曲線部１ｒとなっている。当然のことながら、この曲線部１ｒの部分においても、曲面形状すなわち断面形状が曲線形状となるように形成されている。
【００２６】
これを図７，図８及び図９を用いて詳述する。図７は、本発明のカメラ用フォーカルプレンシャッタの第四実施例を示し、シャッタ地板のみを示す平面図である。図７に示すように、第２高位部１ｊの曲線部１ｒは、その平面形状が、撮影用開口１１側とは反対側へ凸となるような曲線形状に形成されている。これにより、段差部３１が撮影用開口１１より遠ざかることとなり、露光時に光が撮影用開口１１を通過する際に発生する光の反射の影響をより小さくすることができる。また、結果として傾斜部３０の面積が増大するという効果も付随する。この曲線部１ｒの形状について、図８及び図９により説明する。図８は、本発明のカメラ用フォーカルプレンシャッタの第四実施例を示し、シャッタ地板と先羽根群とを示す平面図で、先羽根群は重畳した状態を示してある。図９は、本発明のカメラ用フォーカルプレンシャッタの第四実施例を示し、シャッタ地板と先羽根群とを示す平面図で、先羽根群は散開した状態を示してある。先羽根群１６は、二本のアームすなわち先羽根駆動アーム１７と先羽根補助アーム１９とによりリンク支持されて、重畳・走査・散開するので、先羽根群１６の、該二本のアームに支持される側とは反対側の先端側の軌跡は、図８及び図９に示すように、概ね左方に凸形状となる曲線を描いた形状となる。従って、この軌跡にほぼ相似するような形状にて曲線部１ｒを形成しても、撮影用開口１１の遮光性において、何ら影響することがなく、しかも上述のように、露光時に光が撮影用開口１１を通過する際に発生する光の反射の影響をより小さくすることができる。
【００２７】
このように、第四実施例のように、露光時に光が撮影用開口１１を通過する際に発生する光の反射の影響をより小さくするために曲線部１ｒを設けた構成においても、稜線部をその断面形状が曲線形状である稜線部１ｋとすることより、稜線部１ｒと羽根部材との接触がより面接触となり、羽根部材の損傷や破損を招くような事態を防止し、また、羽根部材の撓み現象を抑制することにもなる。
【００２８】
以上、第一実施例から第四実施例を例に説明したが、第２高位部の形成される範囲はこの範囲に限定されることなく、第２高位部は、羽根群の羽根作動部材に支持される側とは反対側の先端側の少なくとも重畳・走査・散開によって占有される部位に形成されればよく、また、第２高位部の目的に反することがなければ従来周知の種々の羽根押え板と同様の形状とするべく適切に延設されるようにしてもよく、本発明の効果はきわめて十分に発揮されるものである。
【００２９】
また、第一実施例から第四実施例の説明において、シヤツタ地板１側に配される羽根群が先羽根群である場合にて説明したが、後羽根群がシヤツタ地板１側に配されるようにした構成のカメラ用フオーカルプレンシヤツタであっても、同様である。
【００３０】
以上に説明したように、シヤツタ地板の羽根群が配される側の面に、上記高位部と上記軸部とがシヤツタ地板と一体に形成されるとともに上記高位部の撮影用開口側の稜線部が曲面形状となり、複数の羽根部材からなる羽根群の走行作動時等における羽根群と高位部の稜線部との接触において、該接触をより面接触とさせて、羽根部材の損傷や破損を招くような事態が防止されるので、シヤツタ地板を形成するための樹脂材料の選択において、その幅が大きくなる。従って、シヤツタ地板として要求される、例えば機械的強度や剛性あるいは耐久性・信頼性などを向上させるため、また、成形工程においてより成形を容易とさせるため、より適性な樹脂材料を選択することを容易にさせる。これにより、従来のように、一種の単量体により形成された樹脂材料だけに止まらず、２種以上の単量体の重合により成る共重合体を用いて所定の成形材料として構成されたポリマーアロイを用いることを可能とし、このポリマーアロイを用いることにより、上記したように要求される事項あるいは内容等の達成において、より有利で効果的なものとすることができる。
【００３１】
【発明の効果】
上述のように、本発明のカメラ用フオーカルプレンシヤツタは、樹脂材料より成り撮影用開口が形成されたシヤツタ地板と、複数の羽根部材からなる２組の羽根群と、２組の羽根群をそれぞれ揺動可能に支持して撮影用開口の側方に支持された複数の羽根作動部材と、所定の開口が形成され２組の羽根群の間に配された中間板と、所定の開口が形成されシヤツタ地板との間に２組の羽根群を介在させて配されたカバー板とを備えるカメラ用フオーカルプレンシヤツタにおいて、シヤツタ地板の羽根群が配される側の面に、羽根群の羽根作動部材に支持される側とは反対側の先端側の少なくとも重畳・走査・散開によって占有される部位に配されるシヤツタ地板の所定の面より肉厚の高位部と、中間板に挿入される所定の軸部とを、シヤツタ地板と一体に形成するとともに、高位部の撮影用開口側の稜線部を曲面形状としたので、羽根部材の中央付近がシヤツタ地板の撮影用開口側へ沈むように撓む等の撓み現象を抑制して羽根部材の走行不整を防止し、且つ羽根群の走行作動を拘束することなく安定させ、しかも羽根部材への損傷を発生することのないものとするとともに、種々の樹脂材料にてシヤツタ地板を形成することを可能とする。
【図面の簡単な説明】
【図１】本発明のカメラ用フオーカルプレンシヤツタの第一実施例を示し、その構成を示す分解斜視図である。
【図２】本発明のカメラ用フオーカルプレンシヤツタの第一実施例を示し、図１に示す各部材を組み立ち後のＡ−Ａ線に沿う方向における断面図で、走行作動中の羽根の状態を模式的に示すとともに一部を省略してある。
【図３】本発明のカメラ用フオーカルプレンシヤツタの第二実施例を示す斜視図で、シヤツタ地板のみを示している。
【図４】本発明のカメラ用フオーカルプレンシヤツタの第三実施例を示す斜視図で、シヤツタ地板のみを示している。
【図５】図５は、本発明のカメラ用フオーカルプレンシヤツタの第三実施例を示し、図４のシヤツタ地板を用いて該シヤツタ地板と図１に示すシヤツタ地板以外の各部材を組み立ち後の図４に示すＢ−Ｂ線に沿う方向における断面図で、走行作動中の羽根の状態を模式的に示すとともに一部を省略してある。
【図６】本発明のカメラ用フオーカルプレンシヤツタの第四実施例を示す斜視図で、シヤツタ地板のみを示している。
【図７】本発明のカメラ用フオーカルプレンシヤツタの第四実施例を示し、シヤツタ地板のみを示す平面図である。
【図８】本発明のカメラ用フオーカルプレンシヤツタの第四実施例を示し、シヤツタ地板と先羽根群とを示す平面図で、先羽根群は重畳した状態を示してある。
【図９】本発明のカメラ用フオーカルプレンシヤツタの第四実施例を示し、シヤツタ地板と先羽根群とを示す平面図で、先羽根群は散開した状態を示してある。
【図１０】従来のカメラ用フオーカルプレンシヤツタを示す断面図で、走行作動中の羽根の状態を模式的に示してある。
【図１１】従来のカメラ用フオーカルプレンシヤツタを示す断面図で、走行作動中の羽根の状態を模式的に示してある。
【符号の説明】
１        シヤツタ地板
１ａ        シヤツタ地板面
１ｂ，１ｃ        第１高位部
１ｄ        第２高位部
１ｅ        稜線部
２        先羽根駆動レバー軸
３        後羽根駆動レバー軸
４        先羽根駆動アーム軸
５        後羽根駆動アーム軸
７        先羽根補助アーム軸
８        後羽根補助アーム軸
１０ａ，１０ｂ        取付軸
１１        撮影用開口
１２，１３        傾斜部
１６        先羽根群
２０        後羽根群
２４        中間板
２５        カバー板
２６        後羽根押え板
【図１】
0003593373.tif 000002
【図２】
0003593373.tif 000003
【図３】
0003593373.tif 000004
【図４】
0003593373.tif 000005
【図５】
0003593373.tif 000006
【図６】
0003593373.tif 000007
【図７】
0003593373.tif 000008
【図８】
0003593373.tif 000009
【図９】
0003593373.tif 000010
【図１０】
0003593373.tif 000011
【図１１】
0003593373.tif 000012